(57)【要約】【課題】ガラス製引戸の切欠き部の養生カバーとなり、組付け時はそのまま作業に入ることができて確実かつ容易な短時間作業で終わらせることができるガラス製引戸用吊車装置を提供すること。【解決手段】レールＲを走行するランナ１０と、ランナ１０より垂下される吊軸２０に支持されガラス製引戸Ｄの上端部に該ガラス製引戸Ｄが吊られた状態に支持されるために形成された上端間口が両側より狭くなっている湾状の切欠き部Ｋに固定され該ガラス製引戸Ｄを懸吊する吊具３０と、を備えたガラス製引戸用吊車装置１である。吊具３０は、吊軸２０の下端に連結された吊上げブロック３１と、フランジ部３２ａと対切欠き部突入部３２ｂと吊上げブロック収容部３２ｃを有する吊具本体３２と、蓋３３と、吊具本体３２の対切欠き部突入部３２ｂと蓋３３とを連結する第１の連結手段４１と、吊上げブロック３１と吊具本体３２の対切欠き部突入部３２ｂとを連結固定する第２の連結手段４２と、を備えた。【選択図】図１
2010090548.tif 000002
【特許請求の範囲】
【請求項１】
下側に開口したＣ形チャンネル状をなすレール内を走行する走行ローラを有するランナと、
前記ランナより前記開口を通して垂下される吊軸に支持されガラス製引戸の上端部に該ガラス製引戸が吊られた状態に支持されるために形成された上端間口が両側より狭くなっている湾状の切欠き部に固定され該ガラス製引戸を懸吊する吊具と、
を備えたガラス製引戸用吊車装置において、
前記吊具は、
前記吊軸の下端部を上端より内部に受け入れた状態に該吊軸に連結される吊上げブロックと、
前記ガラス製引戸の一方の面の前記切欠き部の周囲に密着するフランジ部及び前記切欠き部に略全周密着状態に嵌入される対切欠き部突入部を一体に有し、さらに該対切欠き部突入部に凹設され前記吊上げブロックを嵌合状態に受け入れる吊上げブロック収容部を有する吊具本体と、
前記ガラス製引戸の切欠き部を前記吊具本体と協働して挟んだ状態で該吊具本体の吊上げブロック収容部に前記ガラス製引戸の他方の面側から前記吊上げブロックを通し得る湾部を有し、該湾部を除いた部分の輪郭形状が前記吊具本体の輪郭形状に対応していて、前記ガラス製引戸の他方の面の切欠き部の周囲に密着すると共に前記吊具本体の対切欠き部突入部の端面に密着する蓋と、
前記吊具本体と前記蓋とを前記ガラス製引戸の切欠き部を含む上端部を挟持した状態で該吊具本体の対切欠き部突入部と該蓋とを連結する第１の連結手段と、
前記吊上げブロックを前記吊具本体の吊上げブロック収容部に収容し嵌合した状態で該吊上げブロックと該吊具本体の対切欠き部突入部とを連結固定する第２の連結手段と、
を備えたことを特徴とするガラス製引戸用吊車装置。
【請求項２】
前記吊具本体に被着する第１のカバーと、前記蓋に被着する第２のカバーと、を更に含むことを特徴とする請求項１に記載のガラス製引戸用吊車装置。
【請求項３】
前記吊具本体と前記ガラス製引戸との間、及び前記蓋と前記ガラス製引戸との間の一方又は両方に挟み込む単数又は複数のスペーサを更に含むことを特徴とする請求項１又は２に記載のガラス製引戸用吊車装置。
【発明の詳細な説明】
【技術分野】
【０００１】
本発明は、ガラス製引戸用吊車装置に関する。
【背景技術】
【０００２】
従来、ガラス製引戸用吊車装置として、レールを走行するランナと、ランナより垂下される吊軸に支持されガラス製引戸の上端部に形成された湾状の切欠き部に固定され該ガラス製引戸を懸吊する吊具とを備えた構成のものが提案されている（例えば特許文献１、２参照）。
特許文献１に記載されたガラス製引戸用吊車装置は、縦長のＵ字状の大きな切欠き部に、吊軸に対して吊具の上下位置を調整する機構を配し、ガラス製引戸の吊上げは、Ｕ字状の大きな切欠き部の下位置に設ける小さな円孔を利用していた。このため、ガラス製引戸には、縦長のＵ字状の大きな切欠き部とその下方に小さな円孔を設けるから、ガラス製引戸には応力集中による破損を招く惧れがあった。また、ガラス製引戸を懸吊する吊具も縦長の大きな吊具が必要とされていた。
【０００３】
これに対して、切欠き部を縦長にしないで吊具も縦長でない比較的小さな吊具を使うことができるガラス製引戸用吊車装置が提案され実施されている（特許文献なし）。
このガラス製引戸用吊車装置は、ガラス製引戸が吊られるために該ガラス製引戸の上端部に形成される切欠き部が、上端間口が両側より狭くなっている湾状に形成され、ガラス製引戸用吊車装置として、レールを走行するランナと、ランナより垂下される吊軸に支持されガラス製引戸の上端部に形成された湾状の切欠き部に固定され該ガラス製引戸を懸吊する吊具とを備え、吊具が、ガラス製引戸の一方の面より切欠き部に嵌入すると共にガラス製引戸の切欠き部の周囲に密着する吊具本体と、吊軸に連結されガラス製引戸の他方の面より吊具本体に形成された吊上げブロック収容部に嵌入される吊上げブロックと、ガラス製引戸の他方の面より吊上げブロックを隠蔽する蓋とを有する構成である。
【０００４】
【特許文献１】特表２００１−５０３１１５号公報
【特許文献２】特開２００６−９４７８号公報
【発明の開示】
【発明が解決しようとする課題】
【０００５】
しかしながら、上記実施に係るガラス製引戸用吊車装置は、吊具本体をガラス製引戸の上端部に形成される切欠き部に嵌め込み、ランナをレールに嵌め込み、ランナより垂下する吊軸の設けられた吊上げブロックを吊具本体の吊上げブロック収容部に嵌入する際に、吊具本体の固定が行われていないために、吊上げブロックが吊上げブロック収容部に上手に嵌入されず切欠き部内の吊具本体の端面に突き当たると、該吊具本体が切欠き部から脱落してしまうので、吊具本体を押さえながら、吊上げブロックを吊上げブロック収容部に収容し、蓋を被せて吊具本体と吊上げブロックと蓋とをねじで一体に固定していたので、組付けが難しかった。また、組付ける前のガラス製引戸は、切欠き部が露出しているので割れやすく養生が必要とされていたが、適切な養生具が提供されてこなかった。
【０００６】
本発明は、上述した点にかんがみ案出されたもので、その目的とするところは、組付け前はガラス製引戸の切欠き部に一部を組付けて養生カバーとして使用でき、組付け時はそのまま組付け作業に入ることができて確実かつ容易な短時間作業で終わらせることができ、ガラス製引戸の切欠き部に十分な被吊上げ力を負担させることができるガラス製引戸用吊車装置を提供することにある。
【課題を解決するための手段】
【０００７】
上記課題を解決するため、本発明のガラス製引戸用吊車装置は、下側に開口したＣ形チャンネル状をなすレール内を走行する走行ローラを有するランナと、前記ランナより前記開口を通して垂下される吊軸に支持されガラス製引戸の上端部に該ガラス製引戸が吊られた状態に支持されるために形成された上端間口が両側より狭くなっている湾状の切欠き部に固定され該ガラス製引戸を懸吊する吊具と、を備えたガラス製引戸用吊車装置において、前記吊具は、前記吊軸の下端部を上端より内部に受け入れた状態に該吊軸に連結される吊上げブロックと、前記ガラス製引戸の一方の面の前記切欠き部の周囲に密着するフランジ部及び前記切欠き部に略全周密着状態に嵌入される対切欠き部突入部を一体に有し、さらに該対切欠き部突入部に凹設され前記吊上げブロックを嵌合状態に受け入れる吊上げブロック収容部を有する吊具本体と、前記ガラス製引戸の切欠き部を前記吊具本体と協働して挟んだ状態で該吊具本体の吊上げブロック収容部に前記ガラス製引戸の他方の面側から前記吊上げブロックを通し得る湾部を有し、該湾部を除いた部分の輪郭形状が前記吊具本体の輪郭形状に対応していて、前記ガラス製引戸の他方の面の切欠き部の周囲に密着すると共に前記吊具本体の対切欠き部突入部の端面に密着する蓋と、前記吊具本体と前記蓋とを前記ガラス製引戸の切欠き部を含む上端部を挟持した状態で該吊具本体の対切欠き部突入部と該蓋とを連結する第１の連結手段と、前記吊上げブロックを前記吊具本体の吊上げブロック収容部に収容し嵌合した状態で該吊上げブロックと該吊具本体の対切欠き部突入部とを連結固定する第２の連結手段と、を備えたことを特徴とする。
【０００８】
上記構成によれば、ガラス製引戸の切欠き部を養生するには、ガラス製引戸に形成された上端間口が小さい湾状の切欠き部に吊具本体の対切欠き部突入部を嵌入し、かつフランジ部をガラス製引戸の一方の面の前記切欠き部の周囲に密着すると共に、蓋を吊具本体に対応させてガラス製引戸の他方の面の切欠き部の周囲に密着し、吊具本体と蓋とをガラス製引戸の切欠き部を含む上端部を挟持した状態で第１の連結手段により該吊具本体の対切欠き部突入部と該蓋とを連結する。このように、ガラス製引戸の切欠き部を吊具本体と蓋とで隠蔽すると、施工前の運搬等において、ガラス製引戸の切欠き部の養生になる。
ガラス製引戸を懸吊するには、吊具本体と蓋とを取り外す必要はなく、ランナをレールの端部開口より内部に収容し走行ローラをレールの下端縁に乗せて走行可能にセットし、ガラス製引戸を持ち上げて、吊上げブロックの吊上げブロックを蓋に設けた開口に通し、さらに吊上げブロックを吊具本体の吊上げブロック収容部に収容し嵌合した状態で該吊上げブロックと該吊具本体の対切欠き部突入部とを第２の連結手段で連結固定する。
【０００９】
上記構成によれば、吊上げブロックを吊具本体の吊上げブロック収容部に収容する際に、吊具本体がガラス製引戸の切欠き部から脱落してしまうことがなく、ガラス製引戸を吊上状態に容易に組み付けられる。また、ガラス製引戸の運搬に先立って湾状の切欠き部に吊具本体と蓋を取付けることで、切欠き部に対する養生を行うことができる。
【発明の効果】
【００１０】
本発明によれば、組付け前はガラス製引戸の切欠き部に一部を組付けて養生カバーとして使用でき、組付け時はそのまま組付け作業に入ることができて確実かつ容易な短時間作業で終わらせることができ、ガラス製引戸の切欠き部に十分な被吊上げ力を負担させることができるガラス製引戸用吊車装置を提供することができる。
【発明を実施するための最良の形態】
【００１１】
以下、本発明の実施形態に係るガラス製引戸用吊車装置について図面を参照して説明する。
【００１２】
図１、図２に示すように、ガラス製引戸用吊車装置１は、レールＲ内を走行する走行ローラ１２を有するランナ１０と、ランナ１０より垂下される吊軸２０に支持されガラス製引戸Ｄの上端部に形成された切欠き部Ｋに固定され該ガラス製引戸Ｄを懸吊する吊具３０と、第１のカバー５１と、第２のカバー５２と、を含んでなる。
【００１３】
ランナ１０は、下側に開口したＣ形チャンネル状をなすレールＲ内を走行する走行ローラ１２を有する。ランナ１０は、ランナ本体１１と走行ローラ１２とを含んで構成され、下側に開口したＣ形チャンネル状をなすレールＲに対し該レールＲの一端開口より内部に収容される。ランナ１０は、ランナ本体１１に、２輪を１軸の両端に備えた状態に２軸をレール方向に離れて軸支して計４輪の走行ローラ１２をレールＲの下端縁ｒ、ｒに乗って転動するように備えていると共に、２軸間に軸受部１３を備えている。
【００１４】
吊具３０は、ランナ本体１１の軸受部１３に軸上端部を回転可能に軸支されかつレールＲの下側の開口を通して垂下された取付部支持用の吊軸２０を備え、該吊軸２０を介してランナ１０に懸吊される。
【００１５】
吊具３０は、ランナ１０より開口を通して垂下される吊軸２０に支持されガラス製引戸Ｄの上端部に該ガラス製引戸Ｄが吊られた状態に支持されるために形成された上端間口が両側より狭くなっている湾状の切欠き部Ｋに固定され該ガラス製引戸Ｄを懸吊する（図１参照）。
【００１６】
吊具３０は、吊上げブロック３１と、吊具本体３２と、蓋３３と、吊具本体３２の対切欠き部突入部３２ｂと蓋３３とを連結する第１の連結手段４１と、吊上げブロック３１と吊具本体３２の対切欠き部突入部３２ｂとを連結固定する第２の連結手段４２と、を備えてなる（図１、図３〜図５参照）。
【００１７】
図３（ａ）〜（ｄ）は、吊上げブロック３１の詳細な形状を示す。
吊上げブロック３１は、吊軸２０の下端部を上端より内部に受け入れる凹部３１ａと、内部に高さ調整機構４３を備えるための凹部３１ｂと、第２の連結手段４２のねじを通すザグリ付き小孔３１ｃとを有する樹脂成形体である。
吊上げブロック３１は、吊軸２０の下端部を上端より内部に受け入れた状態に該吊軸２０に連結される。吊上げブロック３１は、外方からの手動操作により吊軸２０に対する装着高さを調整し得る高さ調整機構４３を内部に備えている。高さ調整機構４３は、吊軸２０の下端より一体に垂下するねじ部４３ａと、該ねじ部４３ａの側方に位置され外方からドライバーにより回転可能な手動回転軸４３ｂと、手動回転軸４３ｂの回転をねじ部４３ａに伝達するための原歯車４３ｃと従歯車４３ｄとを有してなる。原歯車４３ｃは、手動回転軸４３ｂに固定され、従歯車４３ｄは、中心にねじ穴を有し、該ねじ穴をねじ部４３ａに螺合されていて、かつ、軸方向移動不能・回転可能に取り付けられ、原歯車４３ｃと噛合されている（図２参照）。吊上げブロック３１の外面部には、凹部３１ｂに対応し手動回転軸４３ｂを回す矢印表示と「上」、「下」の吊上げブロック３１の移動を示す「上」、「下」の文字が設けられている（図３（ａ）参照）。
従って、高さ調整機構４３は、手動回転軸４３ｂをドライバーで回転することにより、吊上げブロック３１は、外方からの手動操作により吊軸２０に対する装着高さを調整し得る。
なお、高さ調整機構４３が長期間使用による破損を起こすなどにより、吊軸２０が吊上げブロック３１からの万一の離脱を防止するために、吊軸２０に直角方向から突き通した状態に設ける安全ロックピン５４が吊上げブロック３１に備えた縦長の長孔３１ｅ内に通されていて、吊軸２０と吊上げブロック３１との安全な連結が図られている。さらに、安全ロックピン５４は、吊軸２０を吊具３０内で回転不能・上下動可能とする機能を果たしている。
【００１８】
図４（ａ）〜（ｄ）は、吊具本体３２の詳細な形状を示す。
吊具本体３２は、Ｕ形の輪郭のフランジ部３２ａと、フランジ部３２ａの側面より側方へ突出する対切欠き部突入部３２ｂと、対切欠き部突入部３２ｂに凹設された吊上げブロック収容部３２ｃとを有する樹脂成形体である。
Ｕ形の輪郭のフランジ部３２ａは、ガラス製引戸Ｄの切欠き部Ｋに対応する面積部分を含み、該ガラス製引戸Ｄの一方の面の切欠き部Ｋの周囲に密着する。対切欠き部突入部３２ｂは、ガラス製引戸Ｄの切欠き部Ｋに略全周密着状態に嵌入され、ガラス製引戸Ｄの重量を受承し吊上げブロック収容部３２ｃに嵌合状態に受け入れる吊上げブロック３１を嵌合状態に受け入れる吊上げブロック３１を介して吊軸２０に伝達する。吊上げブロック収容部３２ｃは、吊軸２０を通すくびれ部分３２ｃ’と、吊上げブロック３１を受け入れる深い空間部分３２ｃ”及び浅い空間部分３２ｃ”’とを有している。
【００１９】
蓋３３は、湾部３３ａを有し、該湾部３３ａを除いた周囲部分が吊具本体３２のフランジ部３２ａの輪郭形状に対応して形成されている。湾部３３ａは、ガラス製引戸Ｄの切欠き部Ｋを吊具本体３２と協働して挟んだ状態で該吊具本体３２の吊上げブロック収容部３２ｃにガラス製引戸Ｄの他方の面側から吊上げブロック３１を通すために形成されている。蓋３３は、ガラス製引戸Ｄの他方の面の切欠き部Ｋの周囲に密着すると共に吊具本体３２の対切欠き部突入部３２ｂの端面に密着される。
【００２０】
図１、図２、図４、図５に示すように、第１の連結手段４１は、吊具本体３２と蓋３３とをガラス製引戸Ｄの切欠き部Ｋを含む上端部を挟持した状態で該吊具本体３２の対切欠き部突入部３２ｂと該蓋３３とを連結する役目を果たす。この実施形態では、第１の連結手段４１は、吊具本体３２の対切欠き部突入部３２ｂに設けられ複数（図では２つ）の第１の小孔４１ａと、第１の小孔４１ａに対応して蓋３３に設けられ小孔４１ａよりも若干大きな皿ザグリ付き小孔４１ｂと、外方から皿ザグリ付き小孔４１ｂに通し小孔４１ａに食い込み螺合するねじ４１ｃと、からなる。
第２の連結手段４２は、吊上げブロック３１を吊具本体３２の吊上げブロック収容部３２ｃに収容し嵌合した状態で該吊上げブロック３１と該吊具本体３２の対切欠き部突入部３２ｂとを連結固定する役目を果たす。この実施形態では、第２の連結手段４２は、吊具本体３２の浅い空間部分３２ｃ”’に設けられた小孔４２ａと、小孔４２ａに対応し吊上げブロック３１に設けられ小孔４２ａよりも若干大きな皿ザグリ付き小孔４２ｂと、外方から小孔４２ａに通し皿ザグリ付き小孔４２ｂに食い込み螺合するねじ４２ｃと、からなる。
【００２１】
図２に示している、吊具本体３２に被着する第１のカバー５１と蓋３３に被着する第２のカバー５２とは、同一の構成にすることができ、図６に共通に示されている。
第１及び第２のカバー５１、５２は、Ｕ字型の平面部５１ａ又は５２ａと周縁リブ５１ｂ又は５２ｂとで形成される凹部を有し、及び平面部５１ａ又は５２ａの凹部側の面に複数の係止爪（被係止部）５１ｃ又は５２ｃを有する形状である。
第１のカバー５１は、係止爪５１ｃを吊具本体３２に設けられた係止孔（係止部）３２ｄに係挿して吊具本体３２に被着される。
第２のカバー５２は、係止爪５２ｃを蓋３３に設けられた係止孔（係止部）３３ｂに係挿して蓋３３に被着される。
【００２２】
図２には示すように、ガラス製引戸用吊車装置１は必要に応じ、図７に示される単数又は複数のスペーサ５３を挟入して構成される。このスペーサ５３は、吊具本体３２とガラス製引戸Ｄとの間、及び蓋３３とガラス製引戸Ｄとの間の一方又は両方に、対切欠き部突入部３２ｂの嵌合方向の嵌合代がガラス製引戸Ｄの板厚よりも大きいときに寸法差分を埋めるために挟み込まれる。
【００２３】
上記構成によれば、ガラス製引戸Ｄの切欠き部Ｋを養生するには、ガラス製引戸Ｄに形成された上端間口が小さい湾状の切欠き部Ｋに吊具本体３２の対切欠き部突入部３２ｂを嵌入し、かつフランジ部３２ａをガラス製引戸Ｄの一方の面の切欠き部Ｋの周囲に密着すると共に、蓋３３を吊具本体３２に対応させてガラス製引戸Ｄの他方の面の切欠き部Ｋの周囲に密着し、吊具本体３２と蓋３３とをガラス製引戸Ｄの切欠き部Ｋを含む上端部を挟持した状態で第１の連結手段４１により該吊具本体３２の対切欠き部突入部３２ｂと該蓋３３とを連結する。このように、ガラス製引戸Ｄの切欠き部Ｋを吊具本体３２と蓋３３とで隠蔽すると、施工前の運搬等において、ガラス製引戸Ｄの切欠き部Ｋの養生になる。
【００２４】
ガラス製引戸Ｄを懸吊するには、吊具本体３２と蓋３３とを取り外す必要はなく、ランナ１０をレールＲの端部開口より内部に収容し走行ローラ１２をレールＲの下端縁ｒ、ｒに乗せて走行可能にセットし、ガラス製引戸Ｄを持ち上げて、吊上げブロック３１の吊上げブロック３１を蓋３３に設けた開口３３ａに通し、さらに吊上げブロック３１を吊具本体３２の吊上げブロック収容部３２ｃに収容し嵌合した状態で該吊上げブロック３１と該吊具本体３２の対切欠き部突入部３２ｂとを第２の連結手段４２で連結固定する。
【００２５】
上記構成によれば、吊上げブロック３１を吊具本体３２の吊上げブロック収容部３２ｃに収容する際に、吊具本体３２がガラス製引戸Ｄの切欠き部Ｋから脱落してしまうことがなく、ガラス製引戸Ｄを吊上状態に容易に組み付けられる。また、ガラス製引戸Ｄの運搬に先立って湾状の切欠き部Ｋに吊具本体３２と蓋３３を取付けることで、切欠き部Ｋに対する養生を行うことができる。
【００２６】
上記構成のように、単数又は複数のスペーサ５３を備えると、ガラス製引戸Ｄの板厚が変わっても、吊具本体３２と蓋３３によるガラス製引戸Ｄの締め付け作用と、ガラス製引戸Ｄの湾状の切欠き部Ｋに対する吊具本体３２の対切欠き部突入部３２ｂの嵌合・吊上げ作用との協働作用を良好に維持することができ、ガラス製引戸Ｄの吊上げ時の湾状の切欠き部Ｋの応力集中を回避でき、湾状の切欠き部Ｋの欠損を良好に回避できる。
【００２７】
叙上のように、ガラス製引戸用吊車装置は、ガラス製引戸の組付け前は、吊具本体３２と蓋３３とをガラス製引戸の切欠き部に組付けて養生カバーとして使用でき、ガラス製引戸の組付け時はそのまま組付け作業に入ることができて確実かつ容易な短時間作業で終わらせることができ、ガラス製引戸の切欠き部に十分な被吊上げ力を負担させることができる。
【００２８】
〔その他の実施形態〕
本発明は上記の実施形態に限定されるものでなく、特許請求の範囲に記載された発明の要旨を逸脱しない範囲内での種々、設計変更した形態を技術的範囲に含まれるものである。
例えば、吊上げブロック３１が高さ調整機構４３を備えていない構成である場合も技術的範囲に含む。上記の実施形態では、吊上げブロック３１と吊具本体３２と蓋３３は、いずれも樹脂成形体であるが、アルミニウム等の鋳造容易で低コストで製造できる軽金属成形体も採用できる。
【図面の簡単な説明】
【００２９】
【図１】実施形態に係るガラス製引戸用吊車装置の正面図である。
【図２】図１におけるII−II断面図である。
【図３】図１のガラス製引戸用吊車装置の要部構成部材に係り、（ａ）は正面図、（ｂ）は背面図、（ｃ）は（ａ）におけるIII(c)−III(c)断面図、（ｄ）は（ａ）におけるIII(ｄ)−III(ｄ)断面図である。
【図４】図１のガラス製引戸用吊車装置の他の要部構成部材に係り、（ａ）は正面図、（ｂ）は背面図、（ｃ）は（ｂ）におけるIV(c)−IV(c)断面図、（ｄ）は（ｂ）におけるIV(ｄ)−IV(ｄ)断面図である。
【図５】図１のガラス製引戸用吊車装置の他の要部構成部材に係り、（ａ）は正面図、（ｂ）は背面図、（ｃ）は（ｂ）におけるＶ(c)−Ｖ(c)断面図である。
【図６】図１のガラス製引戸用吊車装置の他の要部構成部材に係り、（ａ）は正面図、（ｂ）は背面図、（ｃ）は（ｂ）におけるVI(c)−VI(c)断面図である。
【図７】図１のガラス製引戸用吊車装置の他の要部構成部材に係り、（ａ）は正面図、（ｂ）は側面図である。
【符号の説明】
【００３０】
１  ガラス製引戸用吊車装置
Ｒ  レール
Ｄ  ガラス製引戸
Ｋ  切欠き部
１０  ランナ
１２  走行ローラ
２０  吊軸
３０  吊具
３１  吊上げブロック
３２  吊具本体
３２ａ  フランジ部
３２ｂ  対切欠き部突入部
３２ｃ  吊上げブロック収容部
３２ｄ  係止孔（係止部）
３３  蓋
３３ａ  開口
３３ｂ  係止部
４１  第１の連結手段
４２  第２の連結手段
４３  高さ調整機構
５１  第１のカバー
５２  第２のカバー
５３  スペーサ
【図１】
2010090548.tif 000003
【図２】
2010090548.tif 000004
【図３】
2010090548.tif 000005
【図４】
2010090548.tif 000006
【図５】
2010090548.tif 000007
【図６】
2010090548.tif 000008
【図７】
2010090548.tif 000009